(57)【要約】      （修正有）【課題】疑似舌乳頭を有する接触表面を備えた疑似舌乳頭接触型ゴム手袋を提供する。【解決手段】疑似舌乳頭手袋１は、主に伸張性の良い軟質ゴムを素材として、手袋状に仕上げられており、手袋の上下両面ともに手のひらとなるように接触表面が設計されており、左右どちらの手にも装着して使用することが可能である。接触表面の縞は３Ｄ技術によりシミュレートするか、または舌乳頭の凹凸面及び硬さ、弾性を模倣して仕上げられており、愛撫接触の過程において優しくかつ快適で親密な触感が得られる。さらに必要に応じて、一部の突起物を追加するか、または変形体を備えるように設計されることにより、触覚作用と効果が向上される。【選択図】図１
0003204121.tif 000002
【実用新案登録請求の範囲】
【請求項１】
疑似舌乳頭接触型ゴム手袋であって、
前記手袋は主に伸張性の良い軟質ゴムを素材として、手袋状に仕上げられており、
前記手袋の上下両面ともに手のひらとなるように接触表面が設計されており、左右どちらの手にも装着して使用することが可能であり、
前記接触表面の縞は３Ｄ技術によりシミュレートするか、または舌乳頭の凹凸面及び硬さ、弾性を模倣して仕上げられており、
必要に応じて、一部の突起物を追加するか、または変形体備えるように設計されることにより、触覚作用と効果を向上させることを特徴とする疑似舌乳頭接触型ゴム手袋。
【請求項２】
前記疑似舌乳頭接触型ゴム手袋の手のひらの接触表面が、片面のみに設けられていることを特徴とする、請求項１に記載の類似舌乳頭の接触型ゴム手袋。
【請求項３】
前記疑似舌乳頭接触型ゴム手袋の前記接触表面の縞の構造が、類似舌乳頭縞以外の他の適切な縞に形成されていることを特徴とする、請求項１に記載の疑似舌乳頭接触型ゴム手袋。
【考案の詳細な説明】
【技術分野】
【０００１】
本考案は疑似舌乳頭接触型ゴム手袋に関する。改良された非典型的な手袋を提供するものであり、主に伸張性の良い軟質ゴムを素材とした疑似舌乳頭を備えた手袋でもって、人の健康と夫婦の睦まじく楽しい性文化と性生活の向上を目的とする。
【背景技術】
【０００２】
一般に公知の産業用、医療用、家庭用、保温用またはエチケット用等の手袋が使用されている歴史は久しく、かつ、人類の仕事や生活面に莫大な利便性とメリットをもたらしている。公知の手袋は伸張性の少ない綿質、繊維、ゴムまたはラテックスを主な材質としている。
【考案の概要】
【考案が解決しようとする課題】
【０００３】
しかし、従来の手袋はいままでに人間のもっとも大きな２つの欲望の一つのである性欲に対してはなんらの機能を助けるにも及んでいない。
【課題を解決するための手段】
【０００４】
本考案の主な目的は、主に夫婦またはパートナー間での使用に提供する、舌の触覚に代わる多用途の手袋である疑似舌乳頭接触型ゴム手袋を提供することである。かかる手袋は手のひらの紋様が肌に対してより敏感な両面の立体感効果を提供することができ、その働きにより、腋窩またはでん溝等へ容易に触れることができるようになるため、疑似舌乳頭の接触効果を発揮し、機能性、利便性に優れると共に衛生的であるという多重の効果を達成できる。
【０００５】
本考案のもう一つの目的は、目的に合わせた効果を有する突起物または変形物を取り付けた疑似舌乳頭接触型ゴム手袋を提供することである。かかる手袋ではさらなるタッチ効果を達成できる。
【０００６】
本考案のさらにもう一つの目的は、爪先の凸出部を収めて爪を覆うことができる疑似舌乳頭接触型ゴム手袋を提供することである。かかる手袋は使用者の爪が伸びていても一層の接触効果をもたらせる。
【０００７】
高等動物である人類の情欲のうち、性欲は感情から形成され、感情の出口は各種の触覚とキス等であり、さらに舌は性欲のもっとも自然な橋渡し役となる。しかし、舌というのは口の奥に隠されていて、幅広く用いることには無理がある。特に舌技が上手でない人にとってはこの技を発揮することは特に難しい。一方、舌を用いるのはどうしても手に比べて利便性と敏捷性が劣る。またなんといっても舌の使用には衛生上その他感染等の課題が残る。
【０００８】
そのため、考案者は人類の健康と、夫婦仲を睦まじくする楽しい性文化に貢献するため、数年の時間を掛けて材料を収集するとともに、金型を起こし試作と改良を繰り返した結果、延展性が極めて良く、適切な硬さを持つ本考案の立体型疑似舌乳頭手袋を考案した。これを適用した場合、全面にわたって触覚を良くする作用があるほか、だれでも手軽に使用することができる。これを人類の良き橋渡しとなる道具と言っても過言ではないことを確信する。この種の上品な健康器具の誕生は、良い性文化の一環として、少子化現象に対しても僅かながら力を尽くすことができる。
【図面の簡単な説明】
【０００９】
【図１】本考案の構造図である。
【図２】本考案のもう一つの構造図である。
【考案を実施するための形態】
【００１０】
本考案の特長、構造及び達成される効果を、本考案の一好ましい実施例を挙げて添付図面と合わせて、以下のとおり詳しく説明する。
【実施例】
【００１１】
図１に示す本考案の疑似舌乳頭手袋１を参照する。主に上下とも手のひら表面を構成する手袋を含む。そのうち、かかる手袋の表面と各立体面ともに疑似舌乳頭縞の突起物１１が設けられており、すなわち、全面に疑似舌乳頭縞の突起物１１が設けられている。使用するときは、下方の開口部２より手を入れて装着すれば、ただちに使用できる。
【００１２】
引き続き図２に示す本考案の疑似舌乳頭手袋１を参照する。爪先を収容する凸出部１２を設けて、爪を収めて覆うことにより、爪によって肌を傷つけて不快感が生じることを防げるほか、爪を残されていない部分にはより効果的である。さらに、本考案はより目的に合わせるため、かかる軟性の疑似舌乳頭手袋１にはさらに変形の突起部１３等を取り付けることにより、より目的効果を達成することができる。
【００１３】
本考案による疑似舌乳頭接触型ゴム手袋は、非典型的な手袋であり、主に軟質ゴムを素材として、上下両面ともに手のひらとなるように接触表面が設計されており、左右どちらの手にも装着して使用することが可能である。その接触表面の縞は３Ｄ技術によりシミュレートするか、または舌乳頭の凹凸面及び硬さ、弾性を模倣して仕上げられることにより、夫婦またはパートナー間の愛撫接触の過程に用いて優しくかつ快適に親密な触感が得られる。
【００１４】
本考案による疑似舌乳頭接触型ゴム手袋は、その表面に疑似舌乳頭縞の突起物または変形突起物を設けているため、触覚作用とタッチの触感を向上できる。
【００１５】
本考案による疑似舌乳頭接触型ゴム手袋は、上下両面ともに手のひらとなるように接触表面が設計された構成となっているが、これに限られるものではなく、片面構成に仕上げることもできる。
【００１６】
さらに、本考案による疑似舌乳頭接触型ゴム手袋は、疑似舌乳頭接触型ゴム手袋の接触表面の縞構造を疑似舌乳頭縞以外に、他の適切な縞模様に形成することもできる。
【符号の説明】
【００１７】
１    疑似舌乳頭手袋
１１  疑似舌乳頭縞の突起物
１２  指先の突起部
１３  変形の突起物
２    開口部
【図１】
0003204121.tif 000003
【図２】
0003204121.tif 000004
【手続補正書】
【提出日】平成28年3月9日(2016.3.9)
【手続補正１】
【補正対象書類名】実用新案登録請求の範囲
【補正対象項目名】全文
【補正方法】変更
【補正の内容】
【実用新案登録請求の範囲】
【請求項１】
疑似舌乳頭接触型ゴム手袋であって、
前記手袋は主に伸張性の良い軟質ゴムを素材として、手袋状に仕上げられており、
前記手袋の上下両面のうち少なくとも片面が手のひらとなるように接触表面が設計されており、
前記接触表面の縞は３Ｄ技術によりシミュレートするか、または舌乳頭の凹凸面及び硬さ、弾性を模倣して仕上げられており、
一部の突起物を追加するか、または変形体を備えるように設計されることにより、触覚作用と効果を向上させた疑似舌乳頭接触型ゴム手袋。
【請求項２】
前記手袋の上下両面ともに手のひらとなるように接触表面が設計されており、左右どちらの手にも装着して使用することが可能であることを特徴とする、請求項１に記載の類似舌乳頭の接触型ゴム手袋。